(57)【要約】【課題】  下肢マッサージ機能付きマッサージ機において、下肢マッサージ機能不使用時に利用者の快適性を向上しつつ、下肢マッサージ機能の構成要素を簡略化する技術を提供する。【解決手段】  利用者が着座する座部１１１と、前記座部の前端から前方へ延出された回動軸１３８と、凹部と凸部とを含む凹凸形状である第１の面１２１，１２２とほぼ平坦な形状である第２の面１２５とを有し、当該第１の面１２１，１２２と第２の面１２５とが前記回動軸１３８を中心に反転可能に係合される下肢マッサージ部１２０とを備える。【選択図】  図１   
2005198775.tif 000002
【特許請求の範囲】
【請求項１】
利用者が着座する座部と、
前記座部の前端から前方へ延出された回動軸と、
凹部と凸部とを含む凹凸形状である第１の面とほぼ平坦な形状である第２の面とを有し、当該第１の面と第２の面とが前記回動軸を中心に反転可能に係合される下肢マッサージ部とを備える、椅子型マッサージ機。
【請求項２】
前記第１の面及び前記第２の面が、互いに双方の背面側に形成される、請求項１に記載の椅子型マッサージ機。
【請求項３】
利用者が着座する座部と、
前記座部の前端から前方へ延出された一対の回動軸と、
凹部と凸部とを含む凹凸形状である第１の面とほぼ平坦な形状である第２の面とを有し、当該第１の面と第２の面とが前記回動軸を中心に回動可能に係合される一対の下肢マッサージ部とを備える、椅子型マッサージ機。
【請求項４】
前記凹部が、下肢を支持する底部壁と、前記底部壁両側においてマッサージされる下肢に沿って立設され前記凸部を構成する一対の側壁とによって形成され、
前記回動軸が、前記底部壁中央縦断面の底部壁外側面寄りに位置づけられ、前記第１の面と前記第２の面とが互いに双方の背面側に形成される、請求項３に記載の椅子型マッサージ機。
【請求項５】
前記凹部が、下肢を支持する底部壁と、前記底部壁両側においてマッサージされる下肢に沿って立設され前記凸部を構成し前記下肢に外側より接触する外部壁と前記下肢に内側より接触する内部壁によって形成され、
前記回動軸が、前記底部壁背面と前記外部壁背面とが構成する稜部近傍に位置づけられ、
前記内部壁が、前記外部壁より低く形成され、
前記第２の面が、前記外部壁外側に形成される、請求項３に記載の椅子型マッサージ機。
【請求項６】
前記凹部は、下肢を支持する底部壁と、前記底部壁両側においてマッサージされる下肢に沿って立設され前記凸部を構成し前記下肢に外側より接触する外側壁と前記下肢に内側より接触する内側壁とによって形成され、
前記回動軸は、前記底部壁背面と前記内側壁背面とが構成する稜部近傍に位置づけられている、請求項３に記載の椅子型マッサージ機。
【請求項７】
前記外部壁が、前記内部壁より低く形成され、
前記第２の面が、前記内部壁外側に形成される、請求項６に記載の椅子型マッサージ機。
【発明の詳細な説明】
【技術分野】
【０００１】
本発明は、下肢マッサージ機能を備える椅子型マッサージ機に関する。
【背景技術】
【０００２】
従来から、椅子型マッサージ機において、利用者が着座状態でこの利用者の下肢をマッサージする、いわゆる下肢マッサージ機能を備えるもの（例えば、特許文献１参照。）がある。
【０００３】
従来の第１のマッサージチェアの外観図を図１９に示す。図１９（ａ）及び図１９（ｂ）に示すように、マッサージ機能を有する凹凸形状の下肢支持部１４が、座部１２の前方端に備えられた枢軸１６を回転軸として回転自在に取り付けられている。利用者がマッサージを受ける場合には、図１９（ａ）に示すように、下肢支持部１４が前方に回転し、この下肢支持部１４の凹部に利用者の下肢が配置される。一方、利用者がマッサージを受けない場合には、図１９（ｂ）に示すように下肢支持部１４が下方に回転する。
【０００４】
ところで、利用者は、マッサージを受けない場合においても快適に座るために、下肢について何らかの支えが必要と考える場合がある。このような場合には、マッサージは行われないものの、図１９（ａ）に示すように下肢支持部１４が座部１２の前方に回転した状態となる。そして、利用者は、この下肢支持部１４の凹部に自身の下肢を配置することになるが、下肢を自由に動かすことが困難であるため、拘束感が強いという問題がある。
【０００５】
上記の従来の下肢マッサージ機能付きマッサージ機の問題を解決する一例として、下肢マッサージ機部において下肢を支持する下肢支持部の裏面が平坦になっており、下肢マッサージ機能を使用しないときには左右方向の軸２６を支軸とし前後方向に反転可能にした椅子型マッサージ機がある（例えば、特許文献２参照。）。
【０００６】
図２０は、このような椅子型マッサージ機の一例であり、（ａ）が下肢マッサージ機能を利用可能な状態を示し、（ｂ）が下肢マッサージ機能を利用しない場合を示す。また、図２１は、図２０で示した椅子型マッサージ機において下肢を支持するフットレスト２５の切り替えの一例であり、（ａ）が下肢マッサージを行うマッサージ面２４を利用可能な状態を示し、（ｂ）下肢マッサージを行わない場合に下肢を支持する平坦な足載せ面３５を利用可能な状態を示す。
【特許文献１】特開平８−２５７０８４号公報
【特許文献２】特開２００３−６２０２４号公報
【発明の開示】
【発明が解決しようとする課題】
【０００７】
しかしながら、上記の従来の下肢マッサージ機能付き椅子型マッサージ機では、左右方向の支軸２６に対して前後方向に反転可能にしたフットレスト２５を備えるため、フットレスト２５外側に回転軸を支える枠が必要となった。このため、従来の下肢マッサージ機能付き椅子型マッサージ機では、椅子型マッサージ機全体の重量が増加するという問題があった。また、この椅子型マッサージ機では、フットレスト２５の可動部分が、このフットレスト２５を支持する枠とともに外部に露出しているため、下肢マッサージ機部と枠との間に利用者が指などをはさむ可能性があった。さらに、この椅子型マッサージ機では、下肢マッサージ機部の形状が椅子型マッサージ機全体の形状に美観よく収容されないという、いわゆるデザイン上の制約もあった。
【０００８】
本発明は上記実情に鑑みてなされたものであって、その目的とするところは、下肢マッサージ機能付きマッサージ機において、下肢マッサージ機能不使用時に利用者の快適性を向上しつつ、下肢マッサージ機能の構成要素を簡略化する技術を提供することにある。
【課題を解決するための手段】
【０００９】
上記目的を達成するために、本発明は、以下の構成とした。
【００１０】
すなわち、本発明は、利用者が着座する座部と、前記座部の前端から前方へ延出された回動軸と、凹部と凸部とを含む凹凸形状である第１の面とほぼ平坦な形状である第２の面とを有し、当該第１の面と第２の面とが前記回動軸を中心に反転可能に係合される下肢マッサージ部とを備える、椅子型マッサージ機として特定することができる。
【００１１】
本発明では、下肢マッサージを行う第１の面と、下肢を支持するためにほぼ平坦に形成される第２の面とを切り替える際に、座部の前端から前方へ延出された回動軸を中心に下肢マッサージ部が回動する。
【００１２】
従って、本発明によれば、下肢マッサージ機能付きマッサージ機において、下肢マッサージ機能不使用時に利用者の快適性を向上しつつ、下肢マッサージ機能の構成要素を簡略化する技術を提供することができる。
【００１３】
また、本発明は、前記第１の面及び前記第２の面が、互いに双方の背面側に形成されるようにしてもよい。
【００１４】
また、本発明は、利用者が着座する座部と、前記座部の前端から前方へ延出された一対の回動軸と、凹部と凸部とを含む凹凸形状である第１の面とほぼ平坦な形状である第２の面とを有し、当該第１の面と第２の面とが前記回動軸を中心に反転可能に係合される一対の下肢マッサージ部とを備える、椅子型マッサージ機として特定することができる。
【００１５】
本発明では、下肢マッサージを行う第１の面と、下肢を支持するためにほぼ平坦に形成される第２の面とを切り替え可能に形成した下肢マッサージ部を、一対の下肢のそれぞれを収容するように設けた。そして、本発明では、この一対の下肢マッサージ部を、それぞれに対応して設けられる回動軸によって回動するようにした。このため、本発明では、下肢マッサージ部が小さな回動半径で回動する。
【００１６】
従って、本発明によれば、下肢マッサージ機能の不使用時を考慮した構成が簡略化されつつコンパクトな構成をとった、下肢マッサージ機能付き椅子型マッサージ機を提供することができる。
【００１７】
また、本発明は、前記凹部が、下肢を支持する底部壁と、前記底部壁両側においてマッサージされる下肢に沿って立設され前記凸部を構成する一対の側壁とによって形成され、前記回動軸が、前記底部壁中央縦断面の底部壁外側面寄りに位置づけられ、前記第１の面と前記第２の面とが互いに双方の外側面側に形成されるようにしてもよい。
【００１８】
また、本発明は、前記凹部が、下肢を支持する底部壁と、前記底部壁両側においてマッサージされる下肢に沿って立設され前記凸部を構成し前記下肢に外側より接触する外部壁と前記下肢に内側より接触する内部壁によって形成され、前記回動軸が、前記底部壁背面と前記外部壁背面とが構成する稜部近傍に位置づけられ、前記内部壁が、前記外部壁より低く形成され、前記第２の面が、前記外部壁外側に形成されるようにしてもよい。
【００１９】
また、本発明は、前記凹部は、下肢を支持する底部壁と、前記底部壁両側においてマッ
サージされる下肢に沿って立設され前記凸部を構成し前記下肢に外側より接触する外側壁と前記下肢に内側より接触する内側壁とによって形成され、前記回動軸は、前記底部壁背面と前記内側壁背面とが構成する稜部近傍に位置づけられているようにしてもよい。
【発明の効果】
【００２０】
以上述べた本発明によれば、下肢マッサージ機能付きマッサージ機において、下肢マッサージ機能不使用時に利用者の快適性を向上しつつ、下肢マッサージ機能の構成要素を簡略化する技術を提供することができる。
【発明を実施するための最良の形態】
【００２１】
以下、本発明の好適な実施の形態に係る下肢マッサージ機能付き椅子型マッサージ機を、図面を参照して説明する。
【００２２】
〈第１の実施の形態〉
図１及び図２は、本発明の第１の実施の形態に係る、下肢マッサージ機能付き椅子型マッサージ機１００であり、図１では下肢マッサージ部が利用可能な状態を示し、図２では下肢マッサージ部を利用しない状態を示す。
【００２３】
図１において、第１の実施の形態に係る椅子型マッサージ機１００は、利用者が着座する座部１１１及び利用者が着座した際に上体を支持する背もたれ部１１２が設けられる椅子本体１１０を備える。また、椅子型マッサージ機１００は、利用者の下肢を支持する凹部１２１，１２２が設けられ、この凹部１２１，１２２に支持される下肢をマッサージする下肢マッサージ部１２０を備える。
【００２４】
下肢マッサージ部１２０は、座部１１１の前端部分に取り付けられている。下肢マッサージ部１２０は、この下肢マッサージ部１２０の横断面のほぼ中心に設けられた回動中心Ｔ１において、座部１１１の前端から前方へ延出された回動軸１３８によって椅子本体１１０に係合されている。この回動軸１３８は、回動中心Ｔ１を中心として、下肢マッサージ部１２０が回動するための軸である。
【００２５】
下肢マッサージ部１２０において、凹部１２１，１２２は、下肢マッサージ部１２０の横断面から見てほぼ中央に位置する中央壁１２４Ａと、下肢マッサージ部１２０の両側の側壁１２４Ｂ，１２４Ｃにより形成されている。この中央壁１２４Ａ及び側壁１２４Ｂ，１２４Ｃは、図１における上面側を向いた頂部がほぼ平坦に形成されている。また、凹部１２１，１２２は、利用者の下肢（例えば、膝から下の部分）を収容可能なように底部壁１２１ａ，１２２ａの横幅が確保される。
【００２６】
下肢マッサージ部１２０において、底部壁１２１ａ，１２２ａ、中央壁１２４Ａ、及び側壁１２４Ｂ，１２４Ｃの内壁には、凹部１２１，１２２に収容された利用者の下肢をマッサージする不図示のマッサージ手段（例えば、既存の空気式あるいは機械式の押圧手段が考えられる）が適宜設けられる。そして、図１のように凹部１２１，１２２が上面（座部１１１に着座した利用者の下肢が凹部１２１，１２２に収容可能な状態にある位置）に向いている場合には、利用者の下肢がマッサージ手段によってマッサージを受けることができる。なお、下肢マッサージ機能付き椅子型マッサージ機１００において、凹部１２１，１２２が設けられている面が、本発明の第１の面に対応する。
【００２７】
下肢マッサージ部１２０を回動する駆動部１３０は、モータ１３１、ドライブプーリ１３２、駆動ベルト１３３、ドリブンプーリ１３４、ウォーム軸１３５、ウォーム１３６、ウォームホイール１３７、回動軸１３８を備える。
【００２８】
駆動部１３０において、モータ１３１の出力軸１３１ａの先端には、ドライブプーリ１３２が取り付けられている。そして、このドライブプーリ１３２には、ドリブンプーリ１３４とともに駆動ベルト１３３がかけられており、モータ１３１の動力はドライブプーリ１３２からドリブンプーリ１３４に伝達される。ドリブンプーリ１３４が取り付けられているウォーム軸１３５には、ウォーム１３６が取り付けられている。このウォーム１３６は、噛み合っているウォームホイール１３７にモータ１３１の動力を伝達する。ウォームホイール１３７には、下肢マッサージ部１２０を回動させる回動軸１３８が組み込まれている。そして、この回動軸１３８が回動することによって下肢マッサージ部１２０は、回動中心Ｔ１を中心として、例えば矢印Ａの方向に回動する。
【００２９】
下肢マッサージ部１２０は、駆動部１３０によって、回動中心Ｔ１を中心として、例えば矢印Ａの方向に回動する。この回動動作によって、下肢マッサージ部１２０は、図２に示すように、ほぼ平坦な形状に形成された足載せ部１２５が上面（座部１１１に着座した利用者の下肢を置くことが可能な位置）になる。すなわち、下肢マッサージ部１２０は、足載せ部１２５と凹部１２１，１２２を含む第１の面とが、互いに双方の背面側に設けられる。なお、本実施の形態に係る椅子型マッサージ機１００において、足載せ部１２５が設けられている面が、本発明の第２の面に対応する。
【００３０】
足載せ部１２５が上面に向いていることで、下肢マッサージ部１２０による下肢へのマッサージを受けない場合においても、利用者の下肢が拘束感が無く快適に支持される。
【００３１】
以上のように、第１の実施の形態に係る下肢マッサージ機能付き椅子型マッサージ機１００は、利用者の下肢をマッサージするためのマッサージ手段を備える第１の面と利用者の下肢をマッサージしない場合には利用者の下肢を支持することのできるほぼ平坦な足載せ部１２５を含む第２の面とを有する、下肢マッサージ部１２０を備える。また、椅子型マッサージ機１００は、第１の面の反対面に第２の面があるように（第１の面と第２の面とが互いに双方の背面側に）形成される。また、椅子型マッサージ機１００は、椅子本体１１０の座部１１１前端から延出された回動軸１３８が下肢マッサージ部１２０を支持する。すなわち、この回動軸１３８によって、下肢マッサージ部１２０は椅子本体１１０に取り付けられている。そして、この回動軸１３８を回動中心Ｔ１として下肢マッサージ部１２０が回動することによって、椅子型マッサージ機１００は、上記の第１の面と第２の面とを切り替える。
【００３２】
従って、第１の実施の形態に係る下肢マッサージ機能付き椅子型マッサージ機によれば、下肢マッサージ機能の不使用時には利用者の下肢を拘束感無く快適に支持する機能を、簡略な構造によって提供することができる。
【００３３】
〈第２の実施の形態〉
次に、本発明の第２の実施の形態に係る下肢マッサージ機能付き椅子型マッサージ機について、図面を参照して説明する。なお、第２の実施の形態において、第１の実施形態と同様の構成要素がある場合には、共通の符号を用いてその説明を省略する。
【００３４】
図３及び図４は、第２の実施の形態に係る下肢マッサージ機能付き椅子型マッサージ機２００であり、図３では下肢マッサージ部が利用可能な状態を示し、図４では下肢マッサージ部を利用しない状態を示す。
【００３５】
図３に基づいて、椅子型マッサージ機２００を説明する。椅子型マッサージ機２００において、下肢マッサージ部２２０Ａ，２２０Ｂは、利用者の一対の下肢のそれぞれを収容可能ように形成される。すなわち、下肢マッサージ部２２０Ａ，２２０Ｂは、利用者の一対の下肢を一つずつ収容可能な形状の凹部２２１，２２２を、それぞれ一つずつ有する。
【００３６】
下肢マッサージ部２２０Ａ，２２０Ｂには、利用者の下肢（例えば、太腿付近から膝付近の部分）を一つずつ収容可能なように底部壁２２１ａ，２２２ａの横幅が確保され、図３における上面側では両側端にあるほぼ平坦な頂部を持つ一対の側壁２２４Ａ，２２４Ｂを含む、凹部２２１，２２２が形成される。また、凹部２２１，２２２の側壁２２４Ａ，２２４Ｂ、及び底部壁２２１ａ，２２２ａの内壁には、椅子型マッサージ機１００と同様に、凹部２２１，２２２に収容された下肢をマッサージする不図示のマッサージ手段が適宜設けられる。そして、図３のように凹部２２１，２２２が上面に向いている場合には、マッサージ手段によって、利用者の下肢に対してマッサージを受けることができる。
【００３７】
下肢マッサージ部２２０Ａ，２２０Ｂは、この下肢マッサージ部２２０Ａ，２２０Ｂの底部にある底部壁２２１ａ，２２２ａの中央部分の背面にある足載せ部２２５Ａ，２２５Ｂとの間に、回動中心Ｔ２，Ｔ３が設けられる。この回動中心Ｔ２，Ｔ３において、下肢マッサージ部２２０Ａ，２２０Ｂは、座部１１１前端から前方へ延出された一対の回動軸２３８Ａ，２３８Ｂによって椅子本体１１０に係合されている。この回動軸２３８Ａ，２３８Ｂは、回動中心Ｔ２，Ｔ３を中心として、下肢マッサージ部２２０Ａ，２２０Ｂが回動するための軸である。そして、このように二つの下肢マッサージ部２２０Ａ，２２０Ｂを２つの回動軸２３８Ａ，２３８Ｂによって回動することによって、椅子型マッサージ機２００は、椅子型マッサージ機１００の下肢マッサージ部１２０と比較して、小さな回動半径で回動することができる。
【００３８】
図２２は、椅子型マッサージ機２００の下肢マッサージ部２２０Ａ，２２０Ｂの回動中心Ｔ２，Ｔ３を中心とした回動半径を示す図である。回動中心Ｔ２，Ｔ３は、底部壁２２１ａ，２２２ａと足載せ部２２５Ａ，２２５Ｂとの横断面において横方向では中央部分かつ縦方向では外側面にある足載せ部２２５Ａ，２２５Ｂ寄り（図２２では横断面中心よりやや下方より）にあるのが望ましい。このため、下肢マッサージ部２２０Ａ，２２０Ｂの回動半径ｄ１は、底部壁２２１ａ，２２２ａの幅ｌ１の半分になる。このような位置に回動中心Ｔ２，Ｔ３を設けたのは、回動時の一対の下肢マッサージ部２２０Ａ．２２０Ｂの接触による弾性変形が小さくなるためである。そして、下肢マッサージ部２２０Ａ，２２０Ｂは、この回動中心Ｔ２，Ｔ３を中心に矢印Ｂ１，Ｂ２方向（下肢マッサージ部２２０Ａ，２２０Ｂが互いに外方に）に回動して、凹部２２０Ａ，２２０Ｂ（第１の面）が上面にある状態と足載せ部２２５Ａ，２２５Ｂ（第２の面）が上面にある状態とを切り替える。このとき、上記のように互いに外方に回動するため、下肢マッサージ部２２０Ａ，２２０Ｂの内側の側壁２２４Ａ，２２４Ｂは、互いに接触することがなく、それぞれ離間する方向に向かう。そして、足載せ部２２５Ａ，２２５Ｂが上面に向いていることで、下肢マッサージ部２２０Ａ，２２０Ｂによる下肢へのマッサージを受けない場合に、利用者の下肢が拘束感無く快適に支持される。
【００３９】
下肢マッサージ部２２０Ａ，２２０Ｂを回動する駆動部２３０は、モータ１３１、ドライブプーリ１３２、駆動ベルト１３３、ドリブンプーリ１３４、ウォーム軸２３５、ウォーム２３６Ａ，２３６Ｂ、ウォームホイール２３７Ａ，２３７Ｂ、回動軸２３８Ａ，２３８Ｂを備える。
【００４０】
駆動部２３０において、第１の実施の形態に係る駆動部１３０と異なるのは、下肢マッサージ部１２０を回動するための一つの回動軸１３８に換えて、一対の下肢に対応する下肢マッサージ部２２０Ａ，２２０Ｂを回動するための回動軸２３８Ａ，２３８Ｂを駆動することにある。このために、駆動部２３０は、ウォーム軸２３５の全長をウォーム軸１３５より延長し、一対の回動軸２３８Ａ，２３８Ｂを、互いに逆方向に回転するように駆動するウォーム２３６Ａ，２３６Ｂを設ける。
【００４１】
以上のように、第２の実施の形態に係る下肢マッサージ機能付き椅子型マッサージ機２００は、利用者の一組の下肢のそれぞれを収容可能な下肢マッサージ部２２０Ａ，２２０Ｂを備える。この下肢マッサージ部２２０Ａ，２２０Ｂは、利用者の下肢をマッサージするためのマッサージ手段を備える凹部２２０Ａ，２２０Ｂを含む第１の面と、利用者の下肢をマッサージしない場合には利用者の下肢を支持することのできるほぼ平坦な足載せ部２２５Ａ，２２５Ｂを含む第２の面とを有する。また、椅子型マッサージ機２００は、椅子本体２１０の座部１１１前端から前方に延出された２つの回動軸２３８Ａ，２３８Ｂが下肢マッサージ部２２０Ａ，２２０Ｂをそれぞれ支持する。そして、この回動軸２３８Ａ，２３８Ｂを回動中心Ｔ２，Ｔ３として２つの下肢マッサージ部２２０Ａ，２２０Ｂが回動することによって、椅子型マッサージ機２００は、上記の第１の面と第２の面とを切り替える。
【００４２】
そして、第２の実施の形態に係る下肢マッサージ機能付き椅子型マッサージ機２００によれば、下肢マッサージ機能の不使用時には利用者の下肢を快適に支持する機能を、簡略な構造を、よりにコンパクトな構成によって提供することができる。
【００４３】
〈第３の実施の形態〉
次に、本発明の第３の実施の形態に係る下肢マッサージ機能付き椅子型マッサージ機について、図面を参照して説明する。なお、第３の実施の形態において、第１及び第２の実施形態と同様の構成要素がある場合には、共通の符号を用いてその説明を省略する。
【００４４】
図５及び図６は、第３の実施の形態に係る下肢マッサージ機能付き椅子型マッサージ機３００であり、図５では下肢マッサージ部が利用可能な状態を示し、図６では下肢マッサージ部を利用しない状態を示す。また、図７及び図８は、第３の実施の形態に係る椅子型マッサージ機３００の下肢マッサージ部３２０Ａ，３２０Ｂの正面図であり、図７では下肢マッサージ部３２０Ａ，３２０Ｂが利用可能な状態を示し、図８では下肢マッサージ部３２０Ａ，３２０Ｂを利用しない状態を示す。
【００４５】
図７に基づいて、第３の実施の形態に係る椅子型マッサージ機３００を説明する。第３の実施の形態に係る椅子型マッサージ機３００において、下肢マッサージ部３２０Ａ，３２０Ｂは、その底部壁３２１ａ，３２２ａが利用者の一対の下肢のそれぞれを収容可能に形成される。すなわち、下肢マッサージ部３２０Ａ，３２０Ｂは、利用者の下肢を一つずつ収容可能な横幅を有する底部壁３２１ａ，３２２ａと、底部壁に立設される内側壁３２４Ａ，３２４Ｂ及び足載せ部３２５Ａ，３２５Ｂにより形成される凹部３２１，３２２を、それぞれ一つずつ有する。
【００４６】
図７及び図８に基づいて、下肢マッサージ部３２０Ａ，３２０Ｂの形状を説明する。下肢マッサージ部３２０Ａ，３２０Ｂは、底部壁３２１ａ，３２２ａの内側の側壁（利用者の下肢を収容した場合にその下肢の内側）に、内側壁３２４Ａ，３２４Ｂを有する。また、下肢マッサージ部３２０Ａ，３２０Ｂは、底部壁の外側の側壁に３２６Ａ、３２６Ｂを有し、その外側面は、ほぼ平坦な形状に形成する、足載せ部３２５Ａ，３２５Ｂを備える。また、足載せ部３２５Ａ，３２５Ｂは、下肢マッサージを行わない場合に、利用者の下肢を支持する。図７を参照すると、下肢マッサージ部３２０Ａ，３２０Ｂにおいて、足載せ部３２５Ａ，３２５Ｂを構成する側壁の高さ（底部壁３２１ａ，３２２ａからの突出量）は、内側壁３２４Ａ，３２４Ｂの高さよりも高く形成される。このため、第２の面が上方を向いた場合に足載せ部３２５Ａ，３２５Ｂの面積を広くとることができる。また、内側壁３２４Ａ，３２４Ｂは、回動時に部材の弾性により変形して互いの接触により回動を妨げないように形成される。従って、足載せ部３２５Ａ，３２５Ｂは、利用者が下肢をおいた際に、下肢を支持しやすくなっている。
【００４７】
また、各凹部３２１，３２２の内側壁３２４Ａ，３２４Ｂ、外側壁３２５Ａ，３２５Ｂ、及び底部壁３２１ａ，３２２ａの内壁には、椅子型マッサージ機１００と同様に、凹部３２１，３２２に収容された下肢をマッサージする不図示のマッサージ手段が適宜設けられる。そして、図５のように凹部３２１，３２２が上面に向いている場合には、マッサージ手段によって、利用者の下肢に対してマッサージを受けることができる。
【００４８】
下肢マッサージ部３２０Ａ，３２０Ｂは、足載せ部３２５Ａ，３２５Ｂの端部と凹部３２１，３２２の底部壁３２１ａ，３２２ａ外側の壁面の端部とによって構成される稜線近傍に設けられた回動中心Ｔ４，Ｔ５において、座部１１１前端から前方へ延出された一対の回動軸３３８Ａ，３３８Ｂによって椅子本体１１０に係合されている。そして、椅子型マッサージ機３００では、一対の下肢マッサージ部３２０Ａ，３２０Ｂの２つの回動軸３３８Ａ，３３８Ｂを、駆動部３３０の動力によって、例えば図７に示した状態から矢印Ｃ１，Ｃ２方向に約９０°回動する。回動軸３３８Ａ，３３８Ｂを回動する駆動部３３０と駆動部２３０との違いは、図５にもあるように回動軸３３８Ａ，３３８Ｂの取り付け位置の違いによるものである。これによって、第３の実施の形態に係る椅子型マッサージ機３００は、第１の実施の形態の椅子型マッサージ機１００の下肢マッサージ部１２０と比較して、下肢マッサージ部３２０Ａ，３２０Ｂを小さな回動半径で回動することができる。また、第２の実施の形態と比較して少ない回動角度で切換が可能である。
【００４９】
以上のように、第３の実施の形態に係る下肢マッサージ機能付き椅子型マッサージ機３００は、利用者の下肢をマッサージするためのマッサージ手段を備える凹部３２０Ａ，３２０Ｂを含む第１の面と利用者の下肢をマッサージしない場合には利用者の下肢を支持することのできる足載せ部３２５Ａ，３２５Ｂを含む第２の面とを有する、利用者の一組の下肢のそれぞれを収容可能な下肢マッサージ部３２０Ａ，３２０Ｂを備える。また、椅子型マッサージ機３００は、椅子本体１１０の座部１１１前端から前方に延出された２つの回動軸３３８Ａ，３３８Ｂが下肢マッサージ部３２０Ａ，３２０Ｂを、それぞれの外側の側壁面の端部と凹部の底部の外側の壁面の端部との稜線近傍にて支持する。そして、この回動軸１３８，３３８を回動中心として２つの下肢マッサージ部３２０Ａ，３２０Ｂが回動することによって、椅子型マッサージ機１００は、上記の第１の面と第２の面とを切り替える。
【００５０】
そして、第３の実施の形態に係る下肢マッサージ機能付き椅子型マッサージ機によれば、下肢マッサージ機能の不使用時には利用者の下肢を快適に支持する機能を、簡略な構造を、よりにコンパクトな構成によって提供することができる。
【００５１】
〈第４の実施の形態〉
次に、本発明の第４の実施の形態に係る下肢マッサージ機能付き椅子型マッサージ機について、図面を参照して説明する。なお、第４の実施の形態において、第１から第３の実施形態と同様の構成要素がある場合には、共通の符号を用いてその説明を省略する。
【００５２】
図９及び図１０は、第４の実施の形態に係る下肢マッサージ機能付き椅子型マッサージ機４００であり、図９では下肢マッサージ部が利用可能な状態を示し、図１０では下肢マッサージ部を利用しない状態を示す。また、図１１及び図１２は、第４の実施の形態に係る椅子型マッサージ機４００の下肢マッサージ部４２０Ａ，４２０Ｂの正面図であり、図１１では下肢マッサージ部４２０Ａ，４２０Ｂが利用可能な状態を示し、図１２では下肢マッサージ部４２０Ａ，４２０Ｂを利用しない状態を示す。
【００５３】
図１１に基づいて、第４の実施の形態に係る椅子型マッサージ機４００を説明する。第４の実施の形態に係る椅子型マッサージ機４００において、下肢マッサージ部４２０Ａ，４２０Ｂは、その底部壁４２１ａ，４２２ａが利用者の一対の下肢のそれぞれを収容可能
に形成される。すなわち、下肢マッサージ部４２０Ａ，４２０Ｂは、利用者の下肢を一つずつ収容可能な横幅を有する底部壁４２１ａ，４２２ａと、底部壁に立設される外側壁４２４Ａ，４２４Ｂ及び足載せ部４２５Ａ，４２５Ｂにより形成される凹部４２１，４２２を、それぞれ一つずつ有する。
【００５４】
図１１及び図１２に基づいて、下肢マッサージ部４２０Ａ，４２０Ｂの形状を説明する。下肢マッサージ部４２０Ａ，４２０Ｂは、底部壁４２１ａ，４２２ａの外側の側壁（利用者の下肢を収容した場合にその下肢の外側）に、外側壁４２４Ａ，４２４Ｂを有する。また、下肢マッサージ部４２０Ａ，４２０Ｂは、底部壁の内側の側壁４２６Ａ、４２６Ｂを有し、その外側面には、ほぼ平坦な形状に形成する、足載せ部４２５Ａ，４２５Ｂを備える。また、下肢マッサージ部４２０Ａ，４２０Ｂは、下肢マッサージを行わない場合に、利用者の下肢を支持する。図１１を参照すると、下肢マッサージ部４２０Ａ，４２０Ｂにおいて、足載せ部４２５Ａ，４２５Ｂの高さ（底部壁４２１ａ，４２２ａからの突出量）は、外側壁４２４Ａ，４２４Ｂの高さよりも高く形成される。このため、第２の面が上方を向いた場合に足載せ部４２５Ａ，４２５Ｂの面積を広くとることができる。従って、足載せ部４２５Ａ，４２５Ｂは、利用者が下肢をおいた際に、下肢を支持しやすくなっている。
【００５５】
また、凹部４２１，４２２の側壁４２４Ａ，４２４Ｂ、側壁４２６Ａ，４２６Ｂ、及び底部壁４２１ａ，４２２ａの内壁には、椅子型マッサージ機１００と同様に、凹部４２１，４２２に収容された下肢をマッサージする不図示のマッサージ手段が適宜設けられる。そして、図９のように凹部４２１，４２２が上面に向いている場合には、マッサージ手段によって、利用者の下肢に対してマッサージを受けることができる。
【００５６】
下肢マッサージ部４２０Ａ，４２０Ｂは、足載せ部４２５Ａ，４２５Ｂの端部と凹部４２１，４２２の底部壁４２１ａ，４２２ａ外側の壁面の端部とによって構成される稜線近傍に設けられた回動中心Ｔ６，Ｔ７において、座部１１１前端から前方へ延出された一対の回動軸４３８Ａ，４３８Ｂによって椅子本体１１０に係合されている。そして、椅子型マッサージ機４００では、一対の下肢マッサージ部４２０Ａ，４２０Ｂの２つの回動軸４３８Ａ，４３８Ｂを、駆動部４３０の動力によって、例えば図１１に示した状態から矢印Ｄ１，Ｄ２方向に約９０°回動する。回動軸４３８Ａ，４３８Ｂを回動する駆動部４３０と駆動部２３０との違いは、図５にもあるように回動軸４３８Ａ，４３８Ｂの取り付け位置の違いによるものである。これによって、椅子型マッサージ機４００は、第１の実施の形態の椅子型マッサージ機１００の下肢マッサージ部１２０と比較して、下肢マッサージ部４２０Ａ，４２０Ｂを小さな回動半径で回動することができる。また、第２の実施の形態と比較して少ない回動角度で切換が可能である。
【００５７】
以上のように、第４の実施の形態に係る下肢マッサージ機能付き椅子型マッサージ機４００は、利用者の下肢をマッサージするためのマッサージ手段を備える凹部４２１，４２２を含む第１の面と利用者の下肢をマッサージしない場合には利用者の下肢を支持することのできる足載せ部４２５Ａ，４２５Ｂを含む第２の面とを有する、利用者の一組の下肢のそれぞれを収容可能な下肢マッサージ部４２０Ａ，４２０Ｂを備える。また、椅子型マッサージ機４００は、椅子本体１１０の座部１１１前端から前方に延出された２つの回動軸４３８Ａ，４３８Ｂが下肢マッサージ部４２０Ａ，４２０Ｂを、それぞれの内側の側壁面と凹部の底部の外側の壁面とのそれぞれの端部によって構成される稜線近傍にて支持する。そして、この回動軸４３８Ａ，４３８Ｂを回動中心Ｔ６，Ｔ７として一対の下肢マッサージ部４２０Ａ，４２０Ｂが回動することによって、椅子型マッサージ機４００は、上記の第１の面と第２の面とを切り替える。
【００５８】
そして、第４の実施の形態に係る下肢マッサージ機能付き椅子型マッサージ機によれば
、下肢マッサージ機能の不使用時には利用者の下肢を快適に支持する機能を、簡略な構造を、よりにコンパクトな構成によって提供することができる。
【００５９】
なお、図１１，１２の例では、外側壁４２４Ａ，４２４Ｂの高さは、足載せ部４２５Ａ，４２５Ｂを構成する内側の側壁の高さより低く構成した。しかしながら、外側壁４２４Ａ，４２４Ｂは、回動を妨げない大きさであるならば、内側の側壁の高さより高く構成してもよい。
【００６０】
〈その他の実施の形態〉
本発明の椅子型マッサージ機は、上記実施の形態に示した構成の内容に限定されず、例えば以下のような構成をとってもよい。
【００６１】
例えば、上記実施の形態において、椅子型マッサージ機の下肢マッサージ部を回動軸中心に回動する際に、座部１１１内部に設けられる駆動部からの動力によって回動した。しかしながら、本発明の下肢マッサージ機能付き椅子型マッサージ機では、これに限定されない。
【００６２】
例えば、椅子型マッサージ機１００の回動軸には動力を設けずに、空気圧を与えることによって伸縮可能なチューブを下肢マッサージ部の回動に用いることによって、下肢マッサージ部の第１の面と第２の面とを切り替え可能にしてもよい。
【００６３】
図１３は、上記第３の実施の形態に係る下肢マッサージ機能付き椅子型マッサージ機３００において、空気式チューブによって下肢マッサージ部３２０Ａ，３２０Ｂを回動する場合の一例を示す。また、図１４は、椅子型マッサージ機３００において、空気式チューブによって凹部３２１，３２２が上面を向いた状態を示す。更に、図１５は、椅子型マッサージ機３００において、空気式チューブによって足載せ部３２５Ａ，３２５Ｂが上面を向いた状態を示す。
【００６４】
図１４において、下肢マッサージ部３２０Ａ，３２０Ｂは、座部１１１の前端から前方へ延出されたチューブ支持部５１０Ａ，５１０Ｂに設けられるエアチューブ５００Ａ，５００Ｂによって第１の面と第２の面とを切り替え可能に回動する。このとき、回動中心Ｔ４，Ｔ５に設けられる回動軸３３８Ａ，３３８Ｂは、下肢マッサージ部３２０Ａ，３２０Ｂが回動可能なように、この下肢マッサージ部３２０Ａ，３２０Ｂを座部１１１に係合する。そして、図１４の状態からエアチューブ５００ａ，５００Ｂに空気圧が加えられると、下肢マッサージ部３２０Ａ，３２０Ｂが回動して、図１５のように平坦部５２５Ａ，５２５Ｂによって下肢を支持できる状態になる。
【００６５】
図１６は、上記第４の実施の形態に係る下肢マッサージ機能付き椅子型マッサージ機４００において、空気式チューブによって下肢マッサージ部４２０Ａ，４２０Ｂを回動する場合の一例を示す。また、図１７は、椅子型マッサージ機４００において、空気式チューブによって凹部４２１，４２２が上面を向いた状態を示す。更に、図１８は、椅子型マッサージ機４００において、空気式チューブによって足載せ部４２５Ａ，４２５Ｂが上面を向いた状態を示す。
【００６６】
図１７において、下肢マッサージ部４２０Ａ，４２０Ｂは、座部１１１の前端から前方へ延出されたチューブ支持部５３０に設けられるエアチューブ５２０Ａ，５２０Ｂによって第１の面と第２の面とを切り替え可能に回動する。このとき、回動中心Ｔ６，Ｔ７に設けられる回動軸４３８Ａ，４３８Ｂは、下肢マッサージ部４２０Ａ，４２０Ｂが回動可能なように、この下肢マッサージ部４２０Ａ，４２０Ｂを座部１１１に係合する。そして、図１７の状態からエアチューブ５２０ａ，５２０Ｂに空気圧が加えられると、下肢マッサ
ージ部４２０Ａ，４２０Ｂが回動して、図１８のように平坦部４２５Ａ，４２５Ｂによって下肢を支持できる状態になる。
【産業上の利用可能性】
【００６７】
本発明は、下肢マッサージ機能を備える椅子型マッサージ機を提供する産業において利用可能である。
【図面の簡単な説明】
【００６８】
【図１】本発明の第１の実施の形態に係る下肢マッサージ機能付き椅子型マッサージ機であり、下肢マッサージ部が利用可能な状態を示す。
【図２】本発明の第１の実施の形態に係る下肢マッサージ機能付き椅子型マッサージ機であり、下肢マッサージ部を利用しない状態を示す。
【図３】本発明の第２の実施の形態に係る下肢マッサージ機能付き椅子型マッサージ機であり、下肢マッサージ部が利用可能な状態を示す。
【図４】本発明の第２の実施の形態に係る下肢マッサージ機能付き椅子型マッサージ機であり、下肢マッサージ部を利用しない状態を示す。
【図５】本発明の第３の実施の形態に係る下肢マッサージ機能付き椅子型マッサージ機であり、下肢マッサージ部が利用可能な状態を示す。
【図６】本発明の第３の実施の形態に係る下肢マッサージ機能付き椅子型マッサージ機であり、下肢マッサージ部を利用しない状態を示す。
【図７】第３の実施の形態に係る椅子型マッサージ機の下肢マッサージ部の正面図であり、下肢マッサージ部が利用可能な状態を示す。
【図８】第３の実施の形態に係る椅子型マッサージ機の下肢マッサージ部の正面図であり、下肢マッサージ部を利用しない状態を示す。
【図９】本発明の第４の実施の形態に係る下肢マッサージ機能付き椅子型マッサージ機であり、下肢マッサージ部が利用可能な状態を示す。
【図１０】本発明の第４の実施の形態に係る下肢マッサージ機能付き椅子型マッサージ機であり、下肢マッサージ部を利用しない状態を示す。
【図１１】第４の実施の形態に係る椅子型マッサージ機の下肢マッサージ部の正面図であり、下肢マッサージ部が利用可能な状態を示す。
【図１２】第４の実施の形態に係る椅子型マッサージ機の下肢マッサージ部の正面図であり、下肢マッサージ部を利用しない状態を示す。
【図１３】第３の実施の形態に係る下肢マッサージ機能付き椅子型マッサージ機において、空気式チューブによって下肢マッサージ部を回動する場合の一例を示す。
【図１４】椅子型マッサージ機において、空気式チューブによって凹部が上面を向いた状態を示す。
【図１５】椅子型マッサージ機において、空気式チューブによって足載せ部が上面を向いた状態を示す。
【図１６】第４の実施の形態に係る下肢マッサージ機能付き椅子型マッサージ機において、空気式チューブによって下肢マッサージ部を回動する場合の一例を示す。
【図１７】椅子型マッサージ機において、空気式チューブによって凹部が上面を向いた状態を示す。
【図１８】椅子型マッサージ機において、空気式チューブによって足載せ部が上面を向いた状態を示す。
【図１９】従来の下肢マッサージ機能を備える椅子型マッサージ機の一例である。
【図２０】従来の下肢マッサージ機能と下肢支持部を反転可能にした椅子型マッサージ機の一例である。
【図２１】図２０で示した椅子型マッサージ機において下肢を支持するフットレスト２５の切り替えの一例である。
【図２２】椅子型マッサージ機の下肢マッサージ部の回動中心Ｔ２，Ｔ３を中心とした回動半径を示す図である。
【符号の説明】
【００６９】
１００，２００，３００，４００     椅子型マッサージ機
１１０ 椅子本体
１１１ 座部
１１２ 背もたれ部
１２０，２２０，３２０，４２０     下肢マッサージ部
１２１，１２２，２２１，２２２，３２１，３２２，４２１，４２２ 凹部
１２１ａ，１２２ａ   底部壁
１２４，２２４，３２４，４２４     側壁
１２５，２２５，３２５，４２５     足載せ部
１３０、２３０，３３０，４３０     駆動部
１３１ モータ
１３１ａ      出力軸
１３２ ドライブプーリ
１３３ 駆動ベルト
１３４ ドリブンプーリ
１３５，２３５，３３５，４３５     ウォーム軸
１３６，２３６，３３６，４３６     ウォーム
１３７，２３７，３３７，４３７     ウォームホイール
１３８，２３８，３３８，４３８     回動軸
５００Ａ，５００Ｂ，５２０Ａ，５２０Ｂ    エアチューブ
５１０Ａ，５１０Ｂ，５３０    エアチューブ支持部
【図１】
2005198775.tif 000003
【図２】
2005198775.tif 000004
【図３】
2005198775.tif 000005
【図４】
2005198775.tif 000006
【図５】
2005198775.tif 000007
【図６】
2005198775.tif 000008
【図７】
2005198775.tif 000009
【図８】
2005198775.tif 000010
【図９】
2005198775.tif 000011
【図１０】
2005198775.tif 000012
【図１１】
2005198775.tif 000013
【図１２】
2005198775.tif 000014
【図１３】
2005198775.tif 000015
【図１４】
2005198775.tif 000016
【図１５】
2005198775.tif 000017
【図１６】
2005198775.tif 000018
【図１７】
2005198775.tif 000019
【図１８】
2005198775.tif 000020
【図１９】
2005198775.tif 000021
【図２０】
2005198775.tif 000022
【図２１】
2005198775.tif 000023
【図２２】
2005198775.tif 000024